【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検者に放射線を照射することで取得された動態画像を構成する複数のフレーム画像の中の１のフレーム画像における一又は複数の構造物上に、第１の計測対象及び第２の計測対象を設定する設定手段と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する算出手段と、
を備える動態解析装置。
【請求項２】
前記算出手段は、前記第１の時系列データ及び前記第２の時系列データに基づいて、前記第１の計測対象と前記第２の計測対象の同期性を示す指標値を算出する請求項１に記載の動態解析装置。
【請求項３】
前記算出手段による算出結果を表示する表示手段を備える請求項１又は２に記載の動態解析装置。
【請求項４】
前記表示手段は、前記第１の時系列データに基づく第１のグラフと、前記第２の時系列データに基づく第２のグラフとを表示する請求項３に記載の動態解析装置。
【請求項５】
前記表示手段は、前記動態画像を表示する請求項３又は４に記載の動態解析装置。
【請求項６】
前記算出手段が算出結果を算出する際のフレーム画像の間隔が任意に設定可能に構成されている請求項１〜５のいずれか一項に記載の動態解析装置。
【請求項７】
前記所定区間に対応するフレーム画像に、事前に、鮮鋭化処理、平滑化処理、ダイナミックレンジ圧縮処理の少なくとも１つを施す処理手段を備える請求項１〜６のいずれか一項に記載の動態解析装置。
【請求項８】
前記動態画像を取得する撮影装置と、
請求項１〜７のいずれか一項に記載の動態解析装置と、
を備える動態解析システム。
【請求項９】
コンピュータに、
被検者に放射線を照射することで取得された動態画像を構成する複数のフレーム画像の中の１のフレーム画像における一又は複数の構造物上に、第１の計測対象及び第２の計測対象を設定する第１の処理と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する第２の処理と、
を実行させる動態解析プログラム。
【請求項１０】
前記第２の処理は、前記第１の時系列データ及び前記第２の時系列データに基づいて、前記第１の計測対象と前記第２の計測対象の同期性を示す指標値を算出する請求項９に記載の動態解析プログラム。
【請求項１１】
前記コンピュータに、前記第２の処理による算出結果を表示する第３の処理を実行させる請求項９又は１０に記載の動態解析プログラム。
【請求項１２】
前記第３の処理は、前記第１の時系列データに基づく第１のグラフと、前記第２の時系列データに基づく第２のグラフとを前記コンピュータに表示する請求項１１に記載の動態解析プログラム。
【請求項１３】
前記第３の処理は、前記動態画像を前記コンピュータに表示する請求項１１又は１２に記載の動態解析プログラム。
【請求項１４】
被検者に放射線を照射することで取得された動態画像を構成する複数のフレーム画像の中の１のフレーム画像における一又は複数の構造物上に、第１の計測対象及び第２の計測対象を設定する第１の工程と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する第２の工程と、
を備える動態解析方法。
【手続補正２】
【補正対象書類名】明細書
【補正対象項目名】発明の名称
【補正方法】変更
【補正の内容】
【発明の名称】動態解析装置、動態解析システム、動態解析プログラム及び動態解析方法
【手続補正３】
【補正対象書類名】明細書
【補正対象項目名】０００１
【補正方法】変更
【補正の内容】
【０００１】
本発明は、動態解析装置、動態解析システム、動態解析プログラム及び動態解析方法に関する。
【手続補正４】
【補正対象書類名】明細書
【補正対象項目名】０００６
【補正方法】変更
【補正の内容】
【０００６】
上記課題を解決するため、本発明の動態解析装置は、
被検者に放射線を照射することで取得された動態画像を構成する複数のフレーム画像の中の１のフレーム画像における一又は複数の構造物上に、第１の計測対象及び第２の計測対象を設定する設定手段と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する算出手段と、
を備える。
【手続補正５】
【補正対象書類名】明細書
【補正対象項目名】０００７
【補正方法】変更
【補正の内容】
【０００７】
また、本発明の動態解析システムは、
前記動態画像を取得する撮影装置と、
請求項１〜７のいずれか一項に記載の動態解析装置と、
を備える。
【手続補正６】
【補正対象書類名】明細書
【補正対象項目名】０００８
【補正方法】変更
【補正の内容】
【０００８】
また、本発明の動態解析プログラムは、
コンピュータに、
被検者に放射線を照射することで取得された動態画像を構成する複数のフレーム画像の中の１のフレーム画像における一又は複数の構造物上に、第１の計測対象及び第２の計測対象を設定する第１の処理と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを
算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する第２の処理と、
を実行させる。
【手続補正７】
【補正対象書類名】明細書
【補正対象項目名】０００９
【補正方法】変更
【補正の内容】
【０００９】
また、本発明の動態解析方法は、
被検者に放射線を照射することで取得された動態画像を構成する複数のフレーム画像の中の１のフレーム画像における一又は複数の構造物上に、第１の計測対象及び第２の計測対象を設定する第１の工程と、
前記複数のフレーム画像の所定区間において前記第１の計測対象に対応する複数の追跡対象を取得し、当該複数の追跡対象と前記第１の計測対象とに基づいて前記第１の計測対象の時間方向における移動量と移動方向との少なくとも１つを含む第１の時系列データを算出し、且つ、前記複数のフレーム画像の前記所定区間において前記第２の計測対象に対応する複数の追跡対象を取得し、当該複数の追跡対象と前記第２の計測対象とに基づいて前記第２の計測対象の時間方向における移動量と移動方向との少なくとも１つを含む第２の時系列データを算出する第２の工程と、
を備える。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】